(57)【要約】【課題】モータの通電電流に依存することがないほか、ブレーキ電流をオン、オフさせるリレーの保護と省電力化を可能とする電磁ブレーキ制御方法および電磁ブレーキ制御装置の提供にある。【解決手段】ブレーキ電流の通電により電磁ブレーキの作動を解除し、ブレーキ電流の遮断により電磁ブレーキを作動させる電磁ブレーキ制御方法において、コントローラと接続されたブレーキスイッチがオンになったときブレーキ電流の通電を開始し、ブレーキ電流の通電開始Ｔ０からブレーキ電流を上昇させて電磁ブレーキの作動を解除し、ブレーキ電流の通電開始Ｔ０から予め設定した設定時間Ｐ０が経過した後、ブレーキ電流を電磁ブレーキの作動の解除を継続可能とする予め設定した設定電流値Ｉ２まで低下させ、ブレーキ電流を設定電流値Ｉ２に保つ。【選択図】  図２
2018113738.tif 000002
【特許請求の範囲】
【請求項１】
回転電機を制動する電磁ブレーキと、
電源から前記電磁ブレーキへブレーキ電流を供給するブレーキ電流回路と、
前記ブレーキ電流回路におけるブレーキ電流の通電と遮断を切り換えるリレーと、
前記リレーをサージ電圧から保護する保護回路と、
前記ブレーキ電流を制御する電流制御手段と、
前記リレーおよび前記電流制御手段を制御するコントローラと、を備え、
前記ブレーキ電流の通電により前記電磁ブレーキの作動を解除し、前記ブレーキ電流の遮断により前記電磁ブレーキを作動させる電磁ブレーキ制御方法において、
前記コントローラと接続されたブレーキスイッチがオンになったとき前記ブレーキ電流の通電を開始し、
前記ブレーキ電流の通電開始から前記ブレーキ電流を上昇させて前記電磁ブレーキの作動を解除し、
前記ブレーキ電流が予め設定した目標電流値に達した後又は前記ブレーキ電流の通電開始から予め設定した設定時間が経過した後、
前記ブレーキ電流を前記電磁ブレーキの作動の解除を継続可能とする予め設定した設定電流値まで低下させ、
前記ブレーキ電流を前記設定電流値に保つことを特徴とする電磁ブレーキ制御方法。
【請求項２】
前記コントローラは、前記ブレーキ電流の通電開始から前記設定電流値に低下するまでの間では、前記リレーによる前記ブレーキ電流の遮断を禁止することを特徴とする請求項１記載の電磁ブレーキの制御方法。
【請求項３】
前記コントローラは、前記設定時間の経過後、前記ブレーキ電流を予め設定した前記設定電流値まで低下させることを特徴とする請求項１又は２記載の電磁ブレーキ制御方法。
【請求項４】
前記コントローラは、ブレーキスイッチのオフおよびアクセルセンサのオン信号により前記ブレーキ電流の通電を開始することを特徴とする請求項１〜３のいずれか一項記載の電磁ブレーキ制御方法。
【請求項５】
回転電機を制動する電磁ブレーキと、
電源から前記電磁ブレーキへブレーキ電流を供給するブレーキ電流回路と、
前記ブレーキ電流回路におけるブレーキ電流の通電と遮断を切り換えるリレーと、
前記リレーをサージ電圧から保護する保護回路と、
前記ブレーキ電流を制御する電流制御手段と、
前記リレーおよび前記電流制御手段を制御するコントローラと、を備え、
前記ブレーキ電流の通電により前記電磁ブレーキの作動を解除し、前記ブレーキ電流の遮断により前記電磁ブレーキを作動させる電磁ブレーキ制御装置において、
前記コントローラは、前記コントローラと接続されたブレーキスイッチがオンになったとき前記ブレーキ電流の通電を開始し、
前記ブレーキ電流の通電開始から前記ブレーキ電流を上昇させて前記電磁ブレーキの作動を解除し、
前記ブレーキ電流が予め設定した目標電流値に達した後又は前記ブレーキ電流の通電開始から予め設定した設定時間が経過した後、
前記ブレーキ電流を前記電磁ブレーキの作動の解除を継続可能とする予め設定した設定電流値まで低下させ、
前記ブレーキ電流を前記設定電流値に保つことを特徴とする電磁ブレーキ制御装置。
【発明の詳細な説明】
【技術分野】
【０００１】
この発明は、電動モータ等の回転電機の制動を制御する電磁ブレーキ制御方法および電磁ブレーキ制御装置に関する。
【背景技術】
【０００２】
従来の電磁ブレーキ制御方法および電磁ブレーキ制御装置としては、例えば、特許文献１に開示された無励磁作動ブレーキの励磁制御回路を挙げることができる。特許文献１に開示された無励磁作動ブレーキの励磁制御回路には、モータの通電電流を検出する電流検出手段と、電流検出手段の出力に応じて発光信号を形成する発光手段と、発光手段からの発光信号を受信する受光手段が備えられている。さらに、無励磁作動ブレーキの励磁制御回路にはブレーキ通電回路が備えられている。ブレーキ通電回路は、スイッチング素子を有し、受光手段が発光信号を受信したとき、スイッチング素子をオンさせて無励磁作動ブレーキにブレーキ解除電流を供給する。特許文献１に開示された無励磁作動ブレーキの励磁制御回路は、電磁接触器による交流モータの電源オン・オフに伴って電源オフ時にモータに取り付けられた無励磁作動ブレーキを作動させ、また電源オン時に無励磁作動ブレーキを解除する。
【先行技術文献】
【特許文献】
【０００３】
【特許文献１】特開２００４−２２９３８８号公報
【発明の概要】
【発明が解決しようとする課題】
【０００４】
しかしながら、特許文献１に開示された無励磁作動ブレーキの励磁制御回路では、無励磁作動ブレーキに供給するブレーキ解除電流はモータの通電電流に依存している。このため、例えば、モータの通電電流がオフになると、ブレーキ解除電流が直ちに立ち下り、ブレーキが作動するという問題がある。また、ブレーキ解除電流は、三相交流のモータの通電電流の周波数に応じて電界効果トランジスタ（ＦＥＴ）ではチョッパされて供給されるため、変流器とフォトカプラの特性によりブレーキ解除電流の多寡が規定される。従って、ブレーキ解除電流が不足すると無励磁作動ブレーキを解除できないおそれがある。
【０００５】
本発明は上記の問題点に鑑みてなされたもので、本発明の目的は、モータの通電電流に依存することがないほか、ブレーキ電流をオン、オフさせるリレーの保護と省電力化を可能とする電磁ブレーキ制御方法および電磁ブレーキ制御装置の提供にある。
【課題を解決するための手段】
【０００６】
上記の課題を解決するために、本発明は、回転電機を制動する電磁ブレーキと、電源から前記電磁ブレーキへブレーキ電流を供給するブレーキ電流回路と、前記ブレーキ電流回路におけるブレーキ電流の通電と遮断を切り換えるリレーと、前記リレーをサージ電圧から保護する保護回路と、前記ブレーキ電流を制御する電流制御手段と、前記リレーおよび前記電流制御手段を制御するコントローラと、を備え、前記ブレーキ電流の通電により前記電磁ブレーキの作動を解除し、前記ブレーキ電流の遮断により前記電磁ブレーキを作動させる電磁ブレーキ制御方法において、前記コントローラと接続されたブレーキスイッチがオンになったとき前記ブレーキ電流の通電を開始し、前記ブレーキ電流の通電開始から前記ブレーキ電流を上昇させて前記電磁ブレーキの作動を解除し、前記ブレーキ電流が予め設定した目標電流値に達した後又は前記ブレーキ電流の通電開始から予め設定した設定時間が経過した後、前記ブレーキ電流を前記電磁ブレーキの作動の解除を継続可能とする予め設定した設定電流値まで低下させ、前記ブレーキ電流を前記設定電流値に保つことを特徴とする。
【０００７】
本発明では、ブレーキ電流が通電開始され、ブレーキ電流の上昇時に電磁ブレーキの作動が解除される。電磁ブレーキの作動が解除された後に電流値が目標電流値に達した後又はブレーキ電流の通電開始から予め設定した設定時間の経過後に、ブレーキ電流は予め設定した設定電流値まで低下され、設定電流値に保たれる。設定電流値は、電磁ブレーキの作動の解除が継続可能な電流値である。設定電流値は、目標電流値又は設定時間における最高電流値と比較して低いことから、設定電流値に保たれる状態から電磁ブレーキの作動のためにブレーキ電流の通電を遮断しても、サージ電圧は抑制されてリレーを保護しやすくなるほか、保護回路における発熱を防止することができる。また、モータの通電電流に依存することがない。また、設定電流値が低いことから省電力化を実現している。
【０００８】
また、上記の電磁ブレーキの制御方法において、前記コントローラは、前記ブレーキ電流の通電開始から前記設定電流値に低下するまでの間では、前記リレーによる前記ブレーキ電流の遮断を禁止するようにしてもよい。
この場合、ブレーキ電流が設定電流値よりも高い電流値のときに、ブレーキ電流の遮断ができないため、リレーを確実に保護することができる。
【０００９】
また、上記の電磁ブレーキの制御方法において、前記コントローラは、前記設定時間の経過後、前記ブレーキ電流を予め設定した前記設定電流値まで低下させるようにしてもよい。
この場合、設定時間が経過するまでにブレーキ電流は、電磁ブレーキの作動を解除する電流値まで上昇するから、電流値を検出することなく電磁ブレーキの作動を確実に解除することができる。
【００１０】
また、上記の電磁ブレーキの制御方法において、前記コントローラは、ブレーキスイッチのオフおよびアクセルセンサのオン信号により前記ブレーキ電流の通電を開始するようにしてもよい。
この場合、電磁ブレーキの作動の解除は、ブレーキスイッチのオフだけでなくアクセルセンサのオン信号を必要とするため、例えば、ブレーキペダルを踏むだけでは電磁ブレーキの作動は解除されることがない。
【００１１】
また、本発明は、回転電機を制動する電磁ブレーキと、電源から前記電磁ブレーキへブレーキ電流を供給するブレーキ電流回路と、前記ブレーキ電流回路におけるブレーキ電流の通電と遮断を切り換えるリレーと、前記リレーをサージ電圧から保護する保護回路と、前記ブレーキ電流を制御する電流制御手段と、前記リレーおよび前記電流制御手段を制御するコントローラと、を備え、前記ブレーキ電流の通電により前記電磁ブレーキの作動を解除し、前記ブレーキ電流の遮断により前記電磁ブレーキを作動させる電磁ブレーキ制御装置において、前記コントローラは、前記コントローラと接続されたブレーキスイッチがオンになったとき前記ブレーキ電流の通電を開始し、前記ブレーキ電流の通電開始から前記ブレーキ電流を上昇させて前記電磁ブレーキの作動を解除し、前記ブレーキ電流が予め設定した目標電流値に達した後又は前記ブレーキ電流の通電開始から予め設定した設定時間が経過した後、前記ブレーキ電流を前記電磁ブレーキの作動の解除を継続可能とする予め設定した設定電流値まで低下させ、前記ブレーキ電流を前記設定電流値に保つことを特徴とする。
【発明の効果】
【００１２】
本発明によれば、モータの通電電流に依存することがないほか、ブレーキ電流をオン、オフさせるリレーの保護と省電力化を可能とする電磁ブレーキ制御方法および電磁ブレーキ制御装置を提供することができる。
【図面の簡単な説明】
【００１３】
【図１】本発明の実施形態に係る電磁ブレーキ制御装置の電気的構成を示すブロック図である。
【図２】本発明の実施形態に係る電磁ブレーキ制御装置のブレーキ電流と時間との関係を示すグラフ図である。
【図３】別例に係る電磁ブレーキ制御装置の電気的構成を示すブロック図である。
【発明を実施するための形態】
【００１４】
以下、本発明の実施形態に係る電磁ブレーキ制御装置および電磁ブレーキ制御方法について図面を参照して説明する。本実施形態の電磁ブレーキ制御装置は、産業車両としての電動フォークリフトに適用した例である。特に、ブレーキペダルの踏み込みにより電磁ブレーキの作動が解除されるリーチフォークリフトに適用した電磁ブレーキ制御装置および電磁ブレーキ制御方法の例である。
【００１５】
図１に示す電磁ブレーキ制御装置１０の電気的構成について説明する。電磁ブレーキ制御装置１０は、回転電機としての電動モータ１１を制動する電磁ブレーキ１２を備えている。電磁ブレーキ１２は、電動モータ１１と機械的に連結されている。電磁ブレーキ１２が作動している状態（ブレーキオン）では電動モータ１１は制動され、電磁ブレーキ１２が作動されない解除の状態（ブレーキオフ）では、電動モータ１１は駆動可能である。図示はしないが電磁ブレーキ１２はコイル成分であるソレノイドを有している。
【００１６】
電磁ブレーキ１２は、ブレーキ電流回路１３により電源としてのバッテリ１４と接続されている。バッテリ１４はブレーキ電流回路を１３介して電磁ブレーキ１２にブレーキ電流を供給する。バッテリ１４は直流電力を蓄えることが可能であり、充放電可能な二次電池である。ブレーキ電流回路１３では、ダイオード１５が電磁ブレーキ１２と並列接続されている。ダイオード１５はブレーキ電流の通電により電磁ブレーキ１２のコイル成分であるソレノイドに蓄えられた電磁エネルギーを吸収するフライホイールダイオードである。ブレーキ電流はバッテリ１４から電磁ブレーキ１２へ通電される電流である。
【００１７】
ブレーキ電流回路１３は、ブレーキ電流回路１３におけるブレーキ電流の通電と遮断を切り換えるリレーとしての第１スイッチング素子１６を備えている。第１スイッチング素子１６は半導体リレーであり、具体的には、ＭＯＳＦＥＴ（Metal-Oxide-Semiconductor Field-Effect Transistor）である。第１スイッチング素子１６のオン・オフのスイッチング動作により、ブレーキ電流回路１３におけるブレーキ電流の通電と遮断を切り換えが行われる。第１スイッチング素子１６はコントローラ１７と接続されており、コントローラ１７は、第１スイッチング素子をオン・オフのスイッチング動作をさせるための駆動電圧を第１スイッチング素子１６のゲート端子に出力する。ブレーキ電流が電磁ブレーキ１２に通電されることにより電磁ブレーキ１２は解除され、電動モータ１１の制動は解除される。ブレーキ電流が遮断されることにより、電磁ブレーキ１２は作動され、電動モータ１１は制動される。
【００１８】
第１スイッチング素子１６と並列に保護回路１８が接続されている。保護回路１８は、第１スイッチング素子１６によるスイッチング動作の際に発生するサージ電圧から第１スイッチング素子１６を保護するための回路である。保護回路１８は、具体的には、ツェナーダイオード又はバリスタが用いられている。
【００１９】
ブレーキ電流回路１３は、電流制御手段としての第２スイッチング素子１９を備えている。第２スイッチング素子１９はコントローラ１７と接続されており、電磁ブレーキ１２へ通電するブレーキ電流をデューティ制御する。具体的には、第２スイッチング素子１９は、コントローラ１７から第２スイッチング素子１９のゲート端子へ出力されるＰＷＭ信号に基づいてオン・オフのスイッチング動作を行う。ブレーキ電流の通電のオン・オフのスイッチング動作におけるデューティ比はオンの時間割合である。コントローラ１７は電磁ブレーキ１２へ通電されるブレーキ電流が必要な電流値となるようにデューティ比を決定する。
【００２０】
ところで、コントローラ１７は、ブレーキペダル（図示せず）に設けたブレーキペダルスイッチ２０と接続されている。ブレーキペダルはフォークリフトの運転席の床面に設けられている。ブレーキペダルスイッチ２０のオン信号・オフ信号はコントローラ１７へ伝達される。ブレーキペダルが踏み込まれてブレーキペダルスイッチ２０からのオン信号がコントローラ１７に伝達されると、コントローラ１７は第１スイッチング素子１６および第２スイッチング素子１９を制御し、ブレーキ電流を電磁ブレーキ１２に通電する。電磁ブレーキ１２へのブレーキ電流の通電により、電磁ブレーキ１２は解除される。コントローラ１７は、電磁ブレーキ１２の作動の解除に必要なブレーキ電流を得るために必要なデューティ比を決定し、第２スイッチング素子１９はＰＷＭ信号に基づくデューティ制御によりブレーキ電流の電流値を制御する。
【００２１】
逆に、ブレーキペダルの踏み込みが解除されてブレーキペダルスイッチ２０からのオフ信号がコントローラ１７に伝達されると、コントローラ１７は第１スイッチング素子１６を制御し、電磁ブレーキ１２へのブレーキ電流の通電を遮断する。電磁ブレーキ１２へのブレーキ電流の通電の遮断により、電磁ブレーキ１２は作動されて電動モータ１１を制動する。
【００２２】
コントローラ１７は、アクセルレバー（図示せず）に設けたアクセルセンサ２１と接続されている。アクセルレバーはフォークリフトの運転席に設けられている。アクセルセンサ２１は、アクセルレバーの操作量に応じた信号をコントローラ１７へ伝達する。アクセルレバーの位置がフォークリフトを前進させる位置（以下「前進位置」）および後進させる位置（以下「後進位置」）に操作されている場合には操作量に応じた信号を発信する。アクセルレバーが中立位置に位置させるときに信号は発進されない。
【００２３】
本実施形態では、ブレーキペダルが踏み込まれ、かつ、アクセルレバーが前進位置又は後進位置に操作されているときに、コントローラ１７がブレーキ電流を電磁ブレーキ１２へ通電するように設定されている。従って、アクセルレバーを前進位置又は後進位置となるように操作せず、ブレーキペダルを踏み込んだだけでは、ブレーキ電流は電磁ブレーキ１２へ通電されない。また、アクセルレバーを中立位置に戻すだけでは、ブレーキ電流の通電は遮断されず、アクセルレバーが中立位置に位置するとともにブレーキペダルの踏む込みが解除された場合にブレーキ電流の通電が遮断されるように設定されている。
【００２４】
次に、本実施形態に係る電磁ブレーキ制御方法について説明する。フォークリフトは予め停止している状態である。オペレータが搭乗してブレーキペダルを踏み込み、アクセルレバーを前進位置へ操作すると、コントローラ１７と接続されたブレーキペダルスイッチ２０がオンになり、アクセルレバーの操作量に応じたアクセルセンサ２１の信号がコントローラ１７に伝達される。
【００２５】
ブレーキペダルスイッチ２０のオン信号とアクセルセンサ２１の信号がコントローラ１７に伝達されたとき、コントローラ１７は、第１スイッチング素子１６を制御してブレーキ電流の通電を開始するとともに、ＰＷＭ信号により第２スイッチング素子１９を制御する。第２スイッチング素子１９は、ＰＷＭ信号に基づくデューティ制御により電磁ブレーキ１２へ通電するブレーキ電流を通電開始Ｔ０から上昇させる。図２に示すように、ブレーキ電流の通電開始Ｔ０から時間Ｔ１までブレーキ電流が上昇すると、ブレーキ電流の上昇過程にて電磁ブレーキ１２の作動が解除される電流値ＩＡを超え、電磁ブレーキ１２の作動が解除される。電磁ブレーキ１２の作動が解除されることによりフォークリフトはアクセルレバーの操作量に応じた速度にて走行を開始する。時間Ｔ１ではブレーキ電流が予め設定した目標電流値Ｉ１に達する。
【００２６】
ブレーキ電流が予め設定した目標電流値Ｉ１に達した後は、ブレーキ電流は増減せず時間Ｔ２まで目標電流値Ｉ１を保つ。コントローラ１７には、通電開始Ｔ０から時間Ｔ２までの時間が設定時間Ｐ０として予め設定されて記憶されている。従って、設定時間Ｐ０が経過して時間Ｔ２に達するとコントローラ１７の指令によりブレーキ電流は低下し始め、時間Ｔ３に達するまで低下する。時間Ｔ３に達すると、ブレーキ電流は電流値Ｉ２まで低下しているが、電流値Ｉ２は電磁ブレーキ１２の作動の解除を継続可能とする下限の電流値ＩＢより高い。このため、電磁ブレーキ１２の解除は維持される。時間Ｔ３以降、ブレーキ電流は電流値Ｉ２に保つ。電流値Ｉ２は、電磁ブレーキ１２の作動の解除を継続可能とする予め設定した設定電流値に相当する。電磁ブレーキ１２の作動を解除後に解除を継続する下限の電流値ＩＢは、電磁ブレーキ１２の作動を解除する電流値ＩＡより小さい。電流値Ｉ２は電流値ＩＢより高ければ、電流値ＩＡより低くてもよい。因みに、本実施形態では、設定電流値Ｉ２は目標電流値Ｉ１の約１／３である。
【００２７】
図２では、通電開始Ｔ０から時間Ｔ３までの期間Ｐ１と、時間Ｔ３以降の期間Ｐ２が設定されている。期間Ｐ１は、電磁ブレーキ１２の仕様に依るものの１秒〜数秒で設定可能であり、本実施形態では約１秒に設定されている。期間Ｐ２はアクセルレバーやブレーキペダルの操作の有無に応じて変動し、ブレーキペダルが踏み込まれている限り継続する。コントローラ１７には、期間Ｐ１が予め記憶されている。コントローラ１７は、ブレーキ電流の通電開始Ｔ０から電流値Ｉ２に低下するまでの間である期間Ｐ１では、第１スイッチング素子１６によるブレーキ電流の遮断を禁止し、期間Ｐ２では、第１スイッチング素子１６によるブレーキ電流の遮断を許可する。従って、期間Ｐ１では電磁ブレーキ１２の解除が継続されるため、電動モータ１１の制動は不可能である。
【００２８】
期間Ｐ１におけるブレーキ電流は、設定電流値である電流値Ｉ２より殆ど高い電流値となっている。因みに、ブレーキ電流が高い電流値の状態でブレーキ電流を遮断すると、第１スイッチング素子１６、コントローラ１７および保護回路１８に過度の発熱が生じてしまうおそれがある。そのため、コントローラ１７が期間Ｐ１ではブレーキ電流の遮断を禁止し、期間Ｐ２にてブレーキ電流の遮断を許可するように設定されている。なお、期間Ｐ１はフォークリフトの停止状態から走行開始のタイミングにあり、走行開始直後の低速時に電磁ブレーキ１２を作動する必要性は殆どない。期間Ｐ１は約１秒であるため、期間Ｐ１経過直後の期間Ｐ２にてブレーキ電流の遮断を行うことで十分であると考えられる。さらに言うと、期間Ｐ１において電動モータ１１の制動を必要とする場合、電動モータ１１の回生による制動力を利用することが可能である。
【００２９】
本実施形態の電磁ブレーキ制御装置１０および電磁ブレーキ制御方法によれば、以下の作用効果を奏する。
（１）ブレーキ電流が通電開始され、ブレーキ電流の上昇時に電磁ブレーキ１２の作動が解除される。電磁ブレーキ１２の作動が解除され、予め設定した設定時間Ｐ０の時間の経過後に、ブレーキ電流は予め設定した設定電流値Ｉ２まで低下され、設定電流値Ｉ２に保たれる。設定電流値Ｉ２は、電磁ブレーキ１２の作動の解除が継続可能な電流値である。設定電流値Ｉ２は、目標電流値Ｉ１と比較して低い。このことから、設定電流値Ｉ２に保たれる状態から電磁ブレーキ１２の作動のためにブレーキ電流の通電を遮断しても、サージ電圧は抑制されて第１スイッチング素子１６を過度の加熱から保護しやすくなるほか、保護回路１８における発熱を防止することができる。また、ブレーキ電流は、電動モータ１１の通電電流に依存することがない。また、設定電流値Ｉ２が目標電流値Ｉ１と比べて約１／３であることから省電力化を実現している。
【００３０】
（２）コントローラ１７は、ブレーキ電流の通電開始Ｔ０から設定電流値Ｉ２に低下するまでの間では、第１スイッチング素子１６によるブレーキ電流の遮断を禁止する。従って、ブレーキ電流が設定電流値Ｉ２よりも高い電流値のときに、ブレーキ電流の遮断ができないため、第１スイッチング素子１６を確実に保護することができる。
【００３１】
（３）コントローラ１７は、設定時間Ｐ０の経過後、ブレーキ電流を予め設定した設定電流値Ｉ２まで低下させる。通電開始Ｔ０から時間Ｔ２までの時間が経過するまでにブレーキ電流は、電磁ブレーキ１２の作動を解除する電流値ＩＡまで上昇するから、電流値を検出して確認することなく電磁ブレーキ１２の作動を確実に解除することができる。
【００３２】
（４）コントローラ１７は、ブレーキペダルスイッチ２０のオフおよびアクセルセンサ２１のオン信号によりブレーキ電流の通電を開始する。このため、電磁ブレーキ１２の作動の解除は、ブレーキペダルスイッチ２０のオフだけでなくアクセルセンサ２１のオン信号を必要とするため、例えば、単にブレーキペダルを踏むだけでは電磁ブレーキ１２の作動は解除されることがない。
【００３３】
（５）電磁ブレーキ１２へ通電されるブレーキ電流は、電動モータ１１に通電されるモータ電流に依存されない。このため、モータ電流の低下によって電磁ブレーキ１２が電動モータ１１を制動することはなく、モータ電流の低下による意図しない急停止を防止することができる。
【００３４】
本発明は、上記の実施形態に限定されるものではなく発明の趣旨の範囲内で種々の変更が可能であり、例えば、次のように変更してもよい。
【００３５】
○  上記の実施形態では、リレーとして半導体リレーであるスイッチング素子（ＭＯＳＦＥＴ）を用いたが、リレーは半導体リレーに限定されない。例えば、図３に示す変形例のように、機械式のリレー３１を用いてもよい。この場合、リレー３１の接点の開閉を制御するスイッチ回路３２を設ければよい。コントローラ１７は、ブレーキスイッチの信号およびアクセルセンサの信号に基づいてスイッチ回路３２を制御する。これにより、半導体リレーを用いた実施形態の場合と同等の作用効果を奏する。また、半導体リレーを用いる場合、リレーはＭＯＳＦＥＴの代わりにＩＧＢＴ（Insulated Gate Bipolar Transistor）を用いてもよい。
○  上記の実施形態では、コントローラが、予め設定した設定時間（通電開始Ｔ０から時間Ｔ２までの時間Ｐ０）が経過した後、ブレーキ電流を電磁ブレーキの作動の解除を継続可能とする予め設定した設定電流値まで低下させるとしたが、この限りではない。例えば、ブレーキ電流の目標電流値を設定しておき、ブレーキ電流が予め設定した目標電流値に達した後、ブレーキ電流を電磁ブレーキの作動の解除を継続可能とする予め設定した設定電流値まで低下させてもよい。
○  上記の実施形態では、コントローラは、ブレーキスイッチのオフおよびアクセルセンサのオン信号によりブレーキ電流の通電を開始するとしたがこの限りではない。コントローラは、例えば、ブレーキスイッチのオン信号によりブレーキ電流の通電を開始してもよい。
○  上記の実施形態では、電流制御手段としてスイッチング素子（ＭＯＳＦＥＴ）を用いたが、ＭＯＳＦＥＴの代わりにＩＧＢＴを用いてもよい。
【符号の説明】
【００３６】
１０  電磁ブレーキ制御装置
１１  電動モータ
１２  電磁ブレーキ
１３  ブレーキ電流回路
１４  バッテリ（電源）
１５  ダイオード
１６  第１スイッチング素子（リレー）
１７  コントローラ
１８  保護回路
１９  第２スイッチング素子（電流制御手段）
２０  ブレーキペダルスイッチ
２１  アクセルセンサ
３１  リレー（機械式）
３２  スイッチ回路
Ｔ０  通電開始
Ｔ１、Ｔ２、Ｔ３  時間
Ｉ１  電流値（目標電流値）
Ｉ２  電流値（設定電流値）
ＩＡ、ＩＢ  電流値
Ｐ０  期間（設定時間）
Ｐ１、Ｐ２  期間
【図１】
2018113738.tif 000003
【図２】
2018113738.tif 000004
【図３】
2018113738.tif 000005